(57)【特許請求の範囲】
【請求項１】
平瓦の表側の周縁を残し中央部に設けられた四方形の凹部に太陽電池が装着されてなる太陽電池付屋根瓦であって、上記平瓦の流れ勾配方向と直交する方向の周縁が、その上面を太陽電池の上面とほぼ面一の面一周縁として形成され、又、流れ勾配方向と平行する方向の周縁が、その上面を太陽電池の上面より突出して突出周縁として形成されていることを特徴とする太陽電池付屋根瓦。
【請求項２】
葺設状態において、上記突出周縁の突き合わされた合計幅が、４〜１５ｃｍであることを特徴とする請求項１記載の太陽電池付屋根瓦。
【請求項３】
上記突出周縁の太陽電池の上面よりの突出高さが１〜５ｍｍであることを特徴とする請求項１記載の太陽電池付屋根瓦。
【発明の詳細な説明】
【０００１】
【発明の属する技術分野】
本発明は、太陽電池付屋根瓦に関する。
【０００２】
【従来の技術】
従来、住宅等の屋根に太陽電池を設置し、太陽光線の持つエネルギーを利用し、本来の電力消費を補って、消費電力を節約するための太陽電池の応用方法が種々考案されている。
上記のような太陽電池が応用された例としては、例えば、特開平４−２８５２４号公報や特開平８−１４４４４０号公報に記載された太陽電池瓦等が挙げられる。
【０００３】
上記前者の特開平４−２８５２４号公報に記載された例は、屋根瓦の表面に太陽電池を受容し得る浅い凹部を設け、この凹部に表面を突出させて太陽電池を収納したものである。
【０００４】
又、後者の特開平８−１４４４４０号公報に記載された太陽電池瓦は、セメント瓦基板上の段差部に、太陽電池がフレーム体に支持されて接着固定又は金具固定されたものである。
【０００５】
【発明が解決しようとする課題】
しかしながら、上記前者の特開平４−２８５２４号公報に記載された例の場合においては、瓦の上面より太陽電池が突出して設けられているため、この突出部に塵埃等が付着するといった問題がある。
【０００６】
又、この瓦が葺設された状態では、太陽電池の突出状態が目立って、屋根の外観意匠上見栄えがよくないといった問題がある。
更に、施工時の人の載る荷重や、飛来物等の衝撃荷重を突出した太陽電池が最も受け易い構造となっているので、破損や強度上の問題が懸念される。
【０００７】
又、後者の特開平８−１４４４４０号公報に記載された太陽電池瓦においては、この瓦が葺設された状態では、瓦の基板部が重ね合わされて、殆ど裏側に埋没されるので、上面が殆ど太陽電池で占有された状態となり、瓦の葺設工事に際して、屋根上に別途に歩行のための通路を確保する必要が生じるといった問題がある。
【０００８】
本発明は、このような上記の問題点に着目してなされたものであり、その目的とするところは、これらの問題点を解消し、屋根の外観意匠性が優れ、上面に塵埃等が付着せず、葺設時の作業性がよく、又、上からの荷重による破損の危険性や強度上の問題がない太陽電池付屋根瓦を提供するものである。
【０００９】
【課題を解決するための手段】
請求項１記載の本発明の太陽電池付屋根瓦においては、平瓦の表側の周縁を残し中央部に設けられた四方形の凹部に太陽電池が装着されてなる太陽電池付屋根瓦であって、上記平瓦の流れ勾配方向と直交する方向の周縁の２辺が、その上面を太陽電池の上面とほぼ面一に面一周縁として形成され、流れ勾配方向と平行する方向の周縁の２辺が、その上面を太陽電池の上面より突出して突出周縁として形成されていることを特徴とする。
【００１０】
請求項２記載の本発明の太陽電池付屋根瓦においては、請求項１記載の太陽電池付屋根瓦の、葺設状態において、上記突出周縁の突き合わされた合計幅が、４〜１５ｃｍであることを特徴とする。
【００１１】
請求項３記載の本発明の太陽電池付屋根瓦においては、請求項１記載の太陽電池付屋根瓦の突出周縁の太陽電池の上面よりの突出高さが１〜５ｍｍであることを特徴とする。
【００１２】
【作用】
請求項１記載の本発明の太陽電池付屋根瓦においては、平瓦の流れ勾配方向と直交する方向の周縁が、その上面を太陽電池の上面とほぼ面一に面一周縁として形成され、又、流れ勾配方向と平行する方向の周縁が、その上面を太陽電池の上面より突出して突出周縁として形成されているので、面一周縁と太陽電池との境界に段差がなく、雨水の流れが円滑となり、塵埃が付着するようなことがない。
又、葺設後の外観意匠性がよいものとすることができる。
【００１３】
且つ、葺設状態において、上記突出周縁の突き合わされた合計幅が、歩行可能な幅に形成されることにより、葺設作業時に太陽電池を避けて突出周縁に載って作業が行え、従来の屋根瓦と同等の作業性が確保され、作業効率を向上させることができる。
又、万が一太陽電池上に足がかかっても、その荷重の大部分は平瓦の突出周縁により負担されるので、太陽電池の損傷を防止することができる。
【００１４】
更に、上記突出周縁と太陽電池との境界は段差があっても、雨水の流れ方向と一致しているので、常に雨水により流されるので塵埃等が付着する心配がない。
【００１５】
請求項２記載の本発明の太陽電池付屋根瓦においては、葺設状態において、上記突出周縁の突き合わされた合計幅が、４〜１５ｃｍと十分な幅が確保されているので、太陽電池を避けて、作業者が懸念なく突出周縁に載って作業することが可能である。
【００１６】
請求項３記載の本発明の太陽電池付屋根瓦においては、突出周縁の太陽電池の上面よりの突出高さが１〜５ｍｍとなっているので、万が一太陽電池上に足がかかっても、その荷重の大部分を突出周縁により負担させることが可能で、太陽電池の損傷を防止することができる。
又、一方突出周縁の太陽電池の上面よりの突出高さが１〜５ｍｍと少なく、段差が小さいので、屋根の外観意匠性が損なわれるようなことがなく、見栄えがよいものとすることができる。
【００１７】
【発明の実施の形態】
以下に本発明の実施の形態を図面を参照して説明する。
図１は、本発明の太陽電池付屋根瓦の一例を示す斜視図であり、図２は、図１の平面図である。
図１、及び図２において、本実施例の太陽電池付屋根瓦１０は、平瓦１１の表側の周縁を残し中央部に設けられた四方形の凹部１１ａに太陽電池１２が装着された構造を有する。
但し、図２においては、太陽電池１２か装着されていない状態を示す。
【００１８】
上記平瓦１１の流れ勾配方向と直交する方向の周縁の２辺が、その上面を太陽電池の上面とほぼ面一に面一周縁１１ｂとして形成されている。
一方、平瓦１１の流れ勾配方向と平行する方向の周縁の２辺が、その上面を太陽電池の上面より突出して突出周縁１１ｃとして形成されている。
【００１９】
更に、上記構造の詳細を以下に説明する。
本実施例の太陽電池付屋根瓦１０の平瓦１１の上記面一周縁１１ｂは、図３に示すように、太陽電池１２の上面１２ａとほぼ面一に形成されている。
【００２０】
一方、平瓦１１の突出周縁１１ｃは、太陽電池１２の上面１２ａより、最も突出した中央部周辺で、その突出高さＨがほぼ１．５ｍｍとなっている。
又、上記突出周縁１１ｃの幅Ｗ（図２に示す）は、２．５ｃｍとなっている。従って、重ね合わされた葺設状態において、この太陽電池付屋根瓦１０同士の突き合わされた突出周縁１１ｃの合計幅（２Ｗ）は、５．０ｃｍとなる。
【００２１】
以上説明のように本発明の太陽電池付屋根瓦１０は、面一周縁１１ｂと太陽電池１２との境界に段差がなく、雨水の流れが円滑となり、塵埃が付着するようなことがない。
又、葺設後の外観意匠性がよいものとすることができる。
【００２２】
且つ、葺設状態において、上記突出周縁１１ｃの突き合わされた合計幅が、少なくとも５ｃｍ確保されて、歩行可能な幅となされているので、葺設作業時に太陽電池１２を避けて突出周縁１１ｃに載って作業が行え、従来の屋根瓦と同等の作業性が確保され、作業効率を向上させることができる。
【００２３】
又、万が一太陽電池１２上に足がかかっても、その荷重の大部分は平瓦１１の突出周縁１１ｃにより負担されるので、太陽電池の損傷を防止することができる。
【００２４】
更に、上記突出周縁１１ｃと太陽電池１２との境界は上記のように段差があっても、雨水の流れ方向と一致しているので、常に雨水により流されるので塵埃等が付着する心配がない。
【００２５】
図４は、本発明の太陽電池付屋根瓦１０の施工例を示す斜視図である。
即ち、太陽電池付屋根瓦１０の施工に当たって、従来の平瓦２が葺設された間に、平瓦１１を葺設し、隣接する平瓦１１、１１間の接続コード１３ａ、１３ａを接続配線しておき、次いで太陽電池１２を平瓦１１の凹部１１ａに嵌着する。
このようにして、順次に太陽電池付屋根瓦１０を葺設することができる。
【００２６】
尚、本発明の太陽電池付屋根瓦１０は、従来の平瓦２と形状、寸法等の仕様が同等の平瓦１１に凹部１１ａが設けられ、この凹部１１ａに太陽電池１２が一体に組み込まれた構造となされているので、図４に示すように、従来の平瓦２と同様の方法で葺設することができ、必要に応じて屋根の一部にこの太陽電池付屋根瓦１０を葺設すればよく、簡便で安価に太陽エネルギーを利用することができる。
【００２７】
【発明の効果】
請求項１記載の本発明の太陽電池付屋根瓦においては、平瓦の流れ勾配方向と直交する方向の周縁が、その上面を太陽電池の上面とほぼ面一に面一周縁として形成され、又、流れ勾配方向と平行する方向の周縁が、その上面を太陽電池の上面より突出して突出周縁として形成されているので、面一周縁と太陽電池との境界に段差がなく、雨水の流れが円滑となり、塵埃が付着するようなことがない。
又、葺設後の外観意匠性がよいものとすることができる。
【００２８】
且つ、葺設状態において、上記突出周縁の突き合わされた合計幅が、歩行可能な幅に形成されることにより、葺設作業時に太陽電池を避けて突出周縁に載って作業が行え、従来の屋根瓦と同等の作業性が確保され、作業効率を向上させることができる。
又、万が一太陽電池上に足がかかっても、その荷重の大部分は平瓦の突出周縁により負担されるので、太陽電池の損傷を防止することができる。
【００２９】
更に、上記突出周縁と太陽電池との境界は段差があっても、雨水の流れ方向と一致しているので、常に雨水により流されるので塵埃等が付着する心配がない。
【００３０】
請求項２記載の本発明の太陽電池付屋根瓦においては、葺設状態において、上記突出周縁の突き合わされた合計幅が、４〜１５ｃｍと十分な幅が確保されているので、太陽電池を避けて、作業者が懸念なく突出周縁に載って作業することが可能である。
【００３１】
請求項３記載の本発明の太陽電池付屋根瓦においては、突出周縁の太陽電池の上面よりの突出高さが１〜５ｍｍとなっているので、万が一太陽電池上に足がかかっても、その荷重の大部分を突出周縁により負担させることが可能で、太陽電池の損傷を防止することができる。
又、一方段差が１〜５ｍｍと少ないので、屋根の外観意匠性が損なわれるようなことがなく、見栄えがよいものとすることができる。
従って、太陽電池付屋根瓦として好適である。
【図面の簡単な説明】
【図１】本発明の太陽電池付屋根瓦の一例を示す斜視図。
【図２】図１の平面図。
【図３】図２のＡ−Ａ断面図。
【図４】本発明の太陽電池付屋根瓦の施工例を示す斜視図。
【符号の説明】
２                      （従来の）平瓦
１０                    太陽電池付屋根瓦
１１                    平瓦
１１ａ                  凹部
１１ｂ                  面一周縁
１１ｃ                  突出周縁
１２                    太陽電池
１２ａ                  上面
１３                    接続コード
Ｈ                      突出高さ
Ｗ                      幅
【図１】
0003658106.tif 000002
【図２】
0003658106.tif 000003
【図３】
0003658106.tif 000004
【図４】
0003658106.tif 000005